(57)【要約】【課題】所望のカラオケ空き情報や予約情報を、必要とされる時に容易かつ効率よく迅速に確認できるカラオケ予約システムの提供。【解決手段】予約者通信端末はＥメールアドレス内のアカウント部にカラオケ予約情報コードを挿入して発信させ、該カラオケ予約情報コードに基づくカラオケ空き情報を迅速に検索する。さらに、検索結果を予約者通信端末に提供すると共に、カラオケ予約情報コードおよび該予約者通信端末に関する属性情報をカラオケ店舗側通信端末にも提供する。【選択図】図２
2005078057.tif 000002
【特許請求の範囲】
【請求項１】
センターサーバがインターネットを介して予約者が操作する予約者通信端末およびカラオケ店舗側が操作するカラオケ店舗側通信端末に接続され、前記センターサーバから前記予約者通信端末に、前記カラオケ店舗側が提供したカラオケ空き情報を提供するカラオケ予約システムであって、前記予約者通信端末はＥメールアドレス内のアカウント部にカラオケ予約情報コードを挿入して発信自在に構成され、前記センターサーバは前記カラオケ空き情報および前記カラオケ予約情報コードを記憶する記憶手段と、前記カラオケ予約情報コードに基づき前記カラオケ空き情報を検索する検索手段とを備え、前記センターサーバが所定の予約者通信端末から前記カラオケ予約情報コードを受信すると、前記カラオケ予約情報コードに基づき前記検索手段によって前記カラオケ空き情報を検索し、検索結果を前記予約者通信端末に提供すると共に、前記カラオケ予約情報コードおよび前記予約者通信端末に関する属性情報を前記カラオケ店舗側通信端末に提供するように構成されていることを特徴とするカラオケ予約システム。
【請求項２】
上記カラオケ予約情報コードが、Ｅメールアドレス内のドメイン部にも挿入されることを特徴とする請求項１記載のカラオケ予約システム。
【請求項３】
上記センターサーバはＷｅｂサイト作成手段を備え、前記Ｗｅｂサイト作成手段によって作成するＷｅｂサイトに、上記検索手段で検索した検索結果を表示するように構成されていることを特徴とする請求項１ないし２記載のカラオケ予約システム。
【請求項４】
上記センターサーバは検索結果を表示する上記ＷｅｂサイトのＵＲＬを上記予約者通信端末ないし上記カラオケ店舗側通信端末に送信し、前記各通信端末は前記ＵＲＬを受信した後、前記ＵＲＬの選択によって、前記Ｗｅｂサイトを受信できるようにしたことを特徴とする請求項３記載のカラオケ予約システム。
【発明の詳細な説明】
【技術分野】
【０００１】  本発明は，カラオケ予約システムに関するもので、特に、センターサーバがインターネットを介し、予約者が操作する予約者通信端末およびカラオケ店舗側が操作するカラオケ店舗側通信端末に接続され、該センターサーバから該各通信端末に情報を提供するカラオケ予約システムに関する。
【背景技術】
【０００２】  一般に、カラオケ店に行く場合、飲み会や宴会の二次会としてカラオケ店を利用するユーザは多いが、特に週末の夜などは、カラオケ店を事前予約なしに訪ねても部屋が空いているとは限らず、空室ができるまで待たなければならないことは茶飯事である。また、自宅のパソコンなどを用いてカラオケ店の部屋を予約するシステムも提案されてはいるが、事前にカラオケに行く計画がなされている場合は非常に少ない。【０００３】  一方、最近では、携帯電話の普及率の増大の中で、インターネット接続機能を備えた携帯電話も増加しており、容易にインターネットに接続できるため、利用者は、Ｅメールの交換や所望のＷｅｂサイトの閲覧を頻繁に行っている。このように、携帯電話が多機能で高性能化した結果、その携帯可能機能をフルに活かして、様々な情報提供サービスが展開されている。
そのような流れの中で、例えば、特許文献１に記載の「携帯電話を用いたカラオケ予約方法」では、携帯電話から予約センタ装置に電話をかけたり、あるいは所定のＷｅｂサイトにアクセスすると、予約センタ装置は携帯電話の所在エリアのカラオケ店にこのアクセスを転送し、該カラオケ店のサーバ装置は、携帯電話と通信して部屋の予約および曲の予約を処理する。そして、携帯電話の所有者である顧客がカラオケ店に来店すると、サーバ装置は携帯電話の電話番号で顧客を認証するといった技術も提案されている。【０００４】  また、このような携帯電話の機能を利用した別の予約システムとしては、例えば、特許文献２に記載の「空き情報提供システム」では、センターサーバと、インターネットを介して該センターサーバに接続された店舗側のパソコンとを有し、該センターサーバは店舗側のパソコンから送信された空き情報および各店舗の属性情報を格納するための加盟店データベースと、ユーザの携帯電話からインターネット経由で店舗の検索リクエストが出力された場合に検索用のＷｅｂサイトを携帯電話に送信する手段と、ユーザの携帯電話から検索条件が送信された場合に加盟店データベースを検索して該当する店舗を抽出し、検索結果を空き情報と共に、ユーザの携帯電話に送信する加盟店検索部とを備えるシステムが開示されており、このような構成により、各ユーザは携帯電話を通じて検索した各店舗に関する空き情報をリアルタイムで入手することができるといった技術が想到されている。
【特許文献１】特開２００３−１９５８７５号公報
【特許文献２】特開２００２−３１８９５９号公報
【発明の開示】
【発明が解決しようとする課題】
【０００５】  しかしながら、上記の如くの従来技術は一見便利なように見えるが、ユーザは先ず、携帯電話のインターネット接続機能を使用し、携帯電話専用に構成されたインデックス用のＷｅｂサイトにアクセスした後、再度、所定のメニューサービスから所望のサービスを受けるための専用Ｗｅｂサイトにアクセスしなければならないといった手間がある。これに加え、携帯電話は本来小型化されているが故に表示画面が小さくてとても見づらく、しかも、サイトアドレスの入力作業は英語を入力することもあって、携帯電話のキー操作では簡単ではない。さらに、所望の情報を得るまでにはそれなりの時間が必要であり、通常は接続時間にも課金されるので、その接続時間が長いと不都合がある。【０００６】  そこで、本発明は、所望のカラオケ空き情報や予約情報を、必要とされる時に容易かつ効率よく迅速に確認できるカラオケ予約システムの提供を目的とする。
【課題を解決するための手段】
【０００７】  本発明は、上記目的を達成するために提案され、その請求項１に記載したカラオケ予約システムとは、センターサーバがインターネットを介して予約者が操作する予約者通信端末およびカラオケ店舗側が操作するカラオケ店舗側通信端末に接続され、前記センターサーバから前記予約者通信端末に、前記カラオケ店舗側が提供したカラオケ空き情報を提供するカラオケ予約システムであって、前記予約者通信端末はＥメールアドレス内のアカウント部にカラオケ予約情報コードを挿入して発信自在に構成され、前記センターサーバは前記カラオケ空き情報および前記カラオケ予約情報コードを記憶する記憶手段と、前記カラオケ予約情報コードに基づき前記カラオケ空き情報を検索する検索手段とを備え、前記センターサーバが所定の予約者通信端末から前記カラオケ予約情報コードを受信すると、前記カラオケ予約情報コードに基づき前記検索手段によって前記カラオケ空き情報を検索し、検索結果を前記予約者通信端末に提供すると共に、前記カラオケ予約情報コードおよび前記予約者通信端末に関する属性情報を前記カラオケ店舗側通信端末に提供するように構成されていることを特徴とする。【０００８】  さらに、その請求項２に記載したカラオケ予約システムとは、上記カラオケ予約情報コードが、Ｅメールアドレス内のドメイン部にも挿入されることを特徴とする。【０００９】  そして、その請求項３に記載したカラオケ予約システムとは、上記センターサーバが、Ｗｅｂサイト作成手段を備え、該Ｗｅｂサイト作成手段によって作成するＷｅｂサイトに上記検索手段で検索した検索結果を表示するように構成されていることを特徴とする。【００１０】  そして、その請求項４に記載したカラオケ予約システムとは、上記センターサーバは、検索結果を表示するＷｅｂサイトのＵＲＬを上記予約者通信端末ないし上記カラオケ店舗側通信端末に送信し、該各通信端末は該ＵＲＬを受信した後、該ＵＲＬの選択によって、前記Ｗｅｂサイトを受信できるようにしたことを特徴とする。
【発明の効果】
【００１２】  本発明は前述の如く構成されているため、請求項１記載の発明によれば、予約者通信端末はＥメールアドレス内のアカウント部にカラオケ予約情報コードを挿入して発信させることにより、予約者通信端末から容易にカラオケ予約情報コードを容易に送信できると共に、該カラオケ予約情報コードに基づくカラオケ空き情報を、該予約者通信端末が迅速に検索することができる。さらに、検索結果を予約者通信端末に提供すると共に、カラオケ予約情報コードおよび該予約者通信端末に関する属性情報をカラオケ店舗側通信端末にも提供することで、カラオケ店舗側は顧客へのサービス、ＰＲなどをＥメールや電話などにて予約者に送ることができるため、カラオケ店舗側には新たなビジネスチャンスを喚起でき、また、予約者にはさらなる活きた情報をリアルタイムで提供できるものである。【００１３】  また、請求項２記載の発明によれば、カラオケ予約情報コードがＥメールアドレス内のドメイン部にも挿入されるため、必然的に情報量を増やすことができると共に、例えば、所定の予約情報毎に、その予約情報コードをサーバのドメイン名を割り当て、その予約情報コード毎に個別のサーバを利用することになり、検索時間を含めたシステム全体の処理時間を短縮することもできる。【００１４】  さらに、請求項３記載の発明によれば、センターサーバのＷｅｂサイト作成手段によって作成するＷｅｂサイトに上記検索手段で検索した検索結果を表示するように構成されているので、該Ｗｅｂサイトによって、情報の確認作業が容易となり、必要時に必要量の情報を効率良く受けとることができる。【００１５】  そして、請求項４記載の発明によれば、上記請求項３において、センターサーバは検索結果を表示するＷｅｂサイトのＵＲＬを上記各通信端末に送信し、該各通信端末は該ＵＲＬを受信した後、選択されたＵＲＬにて前記Ｗｅｂサイトを受信するように構成されているので、請求項３記載の発明よりも、さらに情報の確認作業が容易となる。
【発明を実施するための最良の形態】
【００１６】  以下、本発明のカラオケ予約システムについて、最適な実施例を挙げてさらに詳述する。
【実施例１】
【００１７】  先ず、図１は本発明のカラオケ予約システムにおけるネットワーク概略図であるが、この図１において、カラオケ予約システム１は、センターサーバ２がインターネット３を介して、予約者が操作する予約者通信端末４と、カラオケ店舗側が操作するカラオケ店舗側通信端末５とに接続されている。なお、予約者通信端末４としてパソコンなどの通信端末４ａと携帯電話などの携帯通信端末４ｂがあり、また、カラオケ店舗側通信端末５としてパソコンなどの通信端末５ａと携帯電話などの携帯通信端末５ｂがある。さらに、各携帯通信端末４ｂ，５ｂは無線により基地局６，６…に接続され、該基地局６，６…を介してインターネット３に接続されている。【００１８】  そして、予約者通信端末４およびカラオケ店舗側通信端末５から発信する電子メールには、各々Ｅメールアドレス内のアカウント部に後述する情報コードが挿入され、発信自在に構成されるものである。【００１９】  次に、図２は本発明のカラオケ予約システムにおけるＥメールアドレスの構成図であるが、予約者通信端末４から発信される電子メールにおいて、同図（ａ）に示すＥメールアドレス７は、例えば１８桁の英数文字で構成されており、公知の如く、アットマーク１０の前後には各々前記アカウント部９とドメイン部１１とを備えている。
そして、該アカウント部９にはカラオケ予約情報コード１２が入力される情報コード記入部１３を含み、例えば、エリアコード１４として所定の郵便番号を示す「１６９」（新宿区高田馬場地区）と、開始時間コード１５−１として２４時間表記の午後７時半を示す「１９３０」（１９時３０分）と利用時間コード１５−２として２時間を示す「２」と、利用者の人数コード１６として利用者５名を示す「０５」とが連続して数値入力される。【００２０】  一方、カラオケ店舗側通信端末５から発信される電子メールにおいて、同図（ｂ）に示すＥメールアドレス８は、例えば２０桁の英数文字で構成されており、公知の如く、アットマーク１０の前後には各々前記アカウント部９とドメイン部１１とを備えている。
そして、該アカウント部９にはカラオケ空き情報コード２７が入力される空き情報コード記入部２３を含み、例えば、エリアコード２４として所定の郵便番号を示す「１６９」（同上）と、カラオケルームのＩＤである室番号コード１０を示す「１０」と、該室を利用可能とする開始時間コード２５−１として２４時間表記の午後５時を示す「１７００」（１７時００分）と利用時間コード２５−２として３時間を示す「３」と利用可能な人数コード２６として利用者１０名を示す「１０」とが連続して数値入力される。【００２１】  そして、後述の如く、センターサーバでは、予約者通信端末４や店舗側通信端末５から発信されたＥメール毎に、識別情報として識別番号が付与されて登録される。【００２２】  図３は本発明のカラオケ予約システムにおけるセンターサーバの構成図である。図３に示す如く、センターサーバ２は、インターネットに接続可能な送受信手段１８と、予約者から提供される複数の予約者情報１９−Ａ，１９−Ｂ…およびカラオケ店舗側から提供される複数のカラオケ店舗側情報２０−Ａ，２０−Ｂ…を記憶する記憶手段２１と、予約情報コード１２に基づいてカラオケ店舗側情報２０−Ａ，２０−Ｂ…を検索する検索手段２２と、Ｗｅｂサイト作成手段２３とを備えている。【００２３】  そして、予約者情報１９は、予め登録された識別情報１７の他、予約者が所望する地域の郵便番号、利用開始時間、利用時間、利用人数などを含むカラオケ予約情報２４とＥメールアドレス７とからなり、予約者通信端末４から送信された情報コード記入部１３に入力された予約情報コード１２に基づいて、各予約者情報１９−Ａ，１９−Ｂ…が組み込まれ、適宜更新される。なお、通常は検索を受け付けた当日をデフォルトに設定しており、該各予約者情報１９−Ａ，１９−Ｂ…は翌日には削除されるが、カラオケ予約情報２４として所定の予約日として、日付情報コードも設けても良く、この場合は、該各予約者情報１９−Ａ，１９−Ｂ…は予約日を過ぎたものから順次削除される。【００２４】  一方、店舗側情報２０は、予め登録された識別情報２６の他、該カラオケ店舗の所在地を表す郵便番号、空き室毎の利用可能時間、利用可能人数などを含むカラオケ空き情報２７と、Ｅメールアドレス８とからなり、店舗側通信端末５から送信された情報コード記入部１３に入力された空き情報コード２５に基づいて、各カラオケ店舗側情報２０−Ａ，２０−Ｂ…が組み込まれ、適宜更新され、空きがなくなった時点で順次削除される。【００２５】  次に、図４は本発明の予約システムの概略的システムフロー図であるが、これを用いて本発明をさらに詳述する。同図および図１ないし図３に示す如く、予約者は、その予約者通信端末４から送信するＥメールアドレス７内のアカウント部９に、前述の如く、郵便番号で示されたエリアコード１４と、開始時間コード１５−１と、利用時間コード１５−２と、利用者の人数コード１６とを連続して数値入力する。そして、このような各種コードがセンターサーバ２に送信されると（ステップＳ１）、センターサーバ２はこれを受信し（ステップＳ２）、センターサーバ２に備えられた記憶手段２１内のカラオケ予約情報コード１２と、予約者通信端末４のＥメ��ルに関する属性情報であるＥメールアドレス７を予約者情報１９内に組み込んで記憶する（ステップＳ３）。【００２６】  そして、該カラオケ予約情報コード１２に基づき、カラオケ店舗の所在地を表す郵便番号の他、空き番号および該室毎の利用可能時間、利用可能人数などの空き情報コード２７を含んだ各カラオケ空き情報２８を、該検索手段２２によって検索すれば（ステップＳ４）、カラオケ店舗側情報２０−Ａ，２０−Ｂ…から、該カラオケ予約情報コード１２に合致するカラオケ店舗側情報が検出される。【００２７】  さらに、センターサーバ２が、前述した検索結果を表示するＷｅｂサイトのＵＲＬを予約者通信端末４に送信すると（ステップＳ５）、該予約者通信端末４は該ＵＲＬを受信し（ステップＳ６）、予約者が該ＵＲＬの中から所望のＵＲＬを選択し（ステップＳ７）、センターサーバ２が該選択信号を受信すると（ステップＳ８）、該センターサーバ２から該ＵＲＬにて選択されたカラオケ店舗側情報に関し、そのカラオケ空き情報２８およびＥメールアドレス８などが表示されるＷｅｂサイトが送信され（ステップＳ９）、予約者通信端末４に該Ｗｅｂサイトが受信されると（ステップＳ１０）、予約者は該予約者通信端末４によって該Ｗｅｂサイトを閲覧して、前述したカラオケ空き情報２８、Ｅメールアドレス８などを見ることができる。なお、該Ｗｅｂサイトは予約者が選択することにより、順次複数サイトに渡って閲覧することができる。【００２８】  そして、予約者は予約の申し込み、問合せなどをＥメールなどにてカラオケ店舗側に送ることができ（ステップＳ１１）、また、カラオケ空き情報２８内に店舗の電話番号が表示されていれば、予約者から電話をかけることも可能となる。【００２９】  一方、前述した検索結果により検出されたカラオケ店舗側情報を提供したカラオケ店舗側通信端末５，５…には、センターサーバ２から、前述した予約者通信端末４が発信したカラオケ予約情報コード１２および該予約者通信端末４のＥメールアドレス７を表示するＷｅｂサイトのＵＲＬが送信され（ステップＳ１２）、各カラオケ店舗側通信端末５，５…は該ＵＲＬを受信し（ステップＳ１３）、カラオケ店舗側が該ＵＲＬを選択し（ステップＳ１４）、センターサーバ２が該選択信号を受信すると（ステップＳ１５）、該センターサーバ２から該Ｗｅｂサイトが送信され（ステップＳ１６）、各カラオケ店舗側通信端末５，５…に該Ｗｅｂサイトが受信されると（ステップＳ１７）、所定のカラオケ店舗はその該カラオケ店舗側通信端末５によって該Ｗｅｂサイトを閲覧してカラオケ予約情報コード１２および予約者通信端末４のＥメールアドレス７を見ることができ、該Ｗｅｂサイトをカラオケ店舗側が選択することにより、順次複数サイトに渡って閲覧することができる。【００３０】  そして、カラオケ店舗側は顧客へのサービス、ＰＲなどをＥメールなどにて予約者に送ることができ（ステップＳ１８）、また、カラオケ予約情報２４内に予約者の電話番号が表示されていれば、店舗側から電話をかけることも可能となる。さらに、前述したステップＳ１２〜Ｓ１６に代えて、センターサーバ２から、Ｅメールにて各カラオケ店舗側通信端末５，５…にカラオケ予約情報コ���ド１２および予約者通信端末４のＥメールアドレス７を送ることも可能である。【００３１】  以上述べた如く、本発明のカラオケ予約システムでは、予約者通信端末はＥメールアドレス内のアカウント部にカラオケ予約情報コードを挿入して発信させることにより、店舗側通信端末からも容易にカラオケ空き情報コードを容易に送信できる。そして、予約者通信端末はＥメールアドレス内のアカウント部にカラオケ予約情報コードを挿入して発信させることにより、予約者通信端末から容易にカラオケ予約情報コードを容易に送信できる予約者は該カラオケ予約情報コードに基づくカラオケ空き情報を迅速に検索することができ、さらに、検索結果を予約者通信端末に提供すると共に、カラオケ予約情報コードおよび該予約者通信端末に関する属性情報をカラオケ店舗側通信端末にも提供することで、カラオケ店舗側は顧客へのサービス、ＰＲなどをＥメールや電話などにて予約者に送ることができるため、カラオケ店舗側には新たなビジネスチャンスを喚起でき、また、予約者にはさらなる活きた情報をリアルタイムで提供できる。【００３２】  なお、本発明のカラオケ予約システムにおいては、情報コード記入部に、郵便番号、利用開始時間、利用時間、利用人数などの情報コードを選択的に挿入したが、本発明は、これらに限定されることなく、Ｅメールアドレスに使用できる符号として許容される範囲内で、その用途に応じて種々の情報コードを挿入することが可能である。また、本発明におけるカラオケ店舗側とは、法人、団体、個人が経営する店舗およびそれらに勤務する従業員なども含まれるものである。
【図面の簡単な説明】
【００３３】
【図１】本発明のカラオケ予約システムにおけるネットワーク概略図。
【図２】本発明のカラオケ予約システムにおけるＥメールアドレスの構成図。
【図３】本発明のカラオケ予約システムにおけるセンターサーバの構成図。
【図４】本発明のカラオケ予約システムにおける概略的システムフロー図。
【符号の説明】
【００３４】  １        カラオケ予約システム
２        センターサーバ
３        インターネット
４        予約者通信端末
５        カラオケ店舗側通信端末
７，８    Ｅメールアドレス
９        アカウント部
１１        ドメイン部
１２        カラオケ予約情報コード
１３        情報コード記入部
１７，２６  識別番号コード
２１        記憶手段
２２        検索手段
２３        Ｗｅｂサイト作成手段
２４        カラオケ予約情報
２７        カラオケ空き情報コード
２８        カラオケ空き情報
【図１】
2005078057.tif 000003
【図２】
2005078057.tif 000004
【図３】
2005078057.tif 000005
【図４】
2005078057.tif 000006